(57)【要約】      （修正有）【課題】太陽電池の発電量、負荷の消費電力量、及び商用系統と売買される電気量に関する情報を集約して、上記商用系統を運営する事業者が提供する各種料金プランのうち、最適な料金プランを選択するのに有用な情報を提供する。【解決手段】発電装置と商用系統とが連系したシステムにおいて、上記商用系統に売電される売電電力量と、上記商用系統から買電した買電電力量とを測定可能な電力測定装置とネットワークを介して通信可能に構成され、上記商用系統を運営する事業者が提供する各種料金プラン毎に、売電電力量、買電電力量、及び当該両電力量の料金単価を変動項目として、電気料金を算出する基礎となる算出基礎情報を記憶すると共に、上記電力測定装置から受信した電力情報を記憶し、上記料金プランと料金単価の指定入力を受け付けて、当該料金プランに係る算出基礎情報に、上記電力情報及び料金単価を代入して電気料金を算出し、これを表示する表示装置。【選択図】図１
2008158701.tif 000002
【特許請求の範囲】
【請求項１】
発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成された装置であって、
上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段と、
上記電力測定装置から、上記電力測定手段により測定された売電電力量及び買電電力量からなる電力情報を受信する電力情報受信手段と、
上記受信した電力情報を記憶する電力情報記憶手段と、
上記料金プランにおける、料金単価の入力を受け付ける料金単価受付手段と、
上記料金プランの指定入力を受け付けて、当該指定された料金プランに係る算出基礎情報に、上記電力情報記憶手段に記憶されている電力情報、及び上記料金単価受付手段により受け付けた料金単価を代入して、当該指定された料金プランにおける電気料金を算出する演算処理部と、
上記演算処理部により算出された電気料金を表示する表示手段と、を有する、
ことを特徴とする表示装置。
【請求項２】
上記商用系統を運営する事業者が提供する各種料金プランのうちの一つである第１の料金プランが指定された場合に算出された第１の電気料金を記憶する電気料金記憶手段と、
上記商用系統を運営する事業者が提供する各種料金プランのうちの一つであって、第１の料金プランとは異なる第２の料金プランが指定されて第２の電気料金が算出された場合に、上記電気料金記憶手段に記憶されている第１の電気料金との差額を算出する第２の演算処理部と、を有し、
上記表示手段は、上記算出された第２の電気料金と共に、上記差額を表示する、
請求項１記載の表示装置。
【請求項３】
外部からの入力操作を随時検知すると共に、入力操作停滞時間を計測する検知手段と、
上記計測した入力操作停滞時間が所定の時間に至ったときにスクリーンセーバーの起動を上記表示手段に指示する起動指示手段と、を有し、
上記表示手段は、上記起動指示に応じて、所定の画像データ又は動画データをスクリーンセーバーとして表示させる、
請求項１又は２記載の表示装置。
【請求項４】
発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成され、上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段とを有する装置により実行される方法であって、
上記電力測定装置から、上記電力測定手段により測定された売電電力量及び買電電力量からなる電力情報を受信する処理と、
上記受信した電力情報を電力情報記憶手段に記憶する処理と、
上記料金プランにおける、料金単価の入力を受け付ける処理と、
上記料金プランの指定入力を受け付けて、当該指定された料金プランに係る算出基礎情報に、上記電力情報記憶手段に記憶されている電力情報、及び上記受け付けた料金単価を代入して、当該指定された料金プランにおける電気料金を算出する処理と、
上記演算処理部により算出された電気料金を表示する処理と、
を行うことを特徴とする表示方法。
【請求項５】
発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成され、上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段とを有するコンピュータを表示装置として機能させるためのコンピュータプログラムであって、
上記コンピュータに対して、
上記電力測定装置から、上記電力測定手段により測定された売電電力量及び買電電力量からなる電力情報を受信する処理と、
上記受信した電力情報を電力情報記憶手段に記憶する処理と、
上記料金プランにおける、料金単価の入力を受け付ける処理と、
上記料金プランの指定入力を受け付けて、当該指定された料金プランに係る算出基礎情報に、上記電力情報記憶手段に記憶されている電力情報、及び上記受け付けた料金単価を代入して、当該指定された料金プランにおける電気料金を算出する処理と、
上記演算処理部により算出された電気料金を表示する処理と、
を実行させるコンピュータプログラム。
【発明の詳細な説明】
【技術分野】
【０００１】
本発明は、太陽電池の発電量、負荷の消費電力量、及び商用系統と売買される電気量に関する情報を集約して、上記商用系統を運営する事業者が提供する各種料金プランのうち、最適な料金プランを選択するのに有用な情報を提示する技術に関する。
【背景技術】
【０００２】
近年のエネルギー需要の増大及び石油、石炭を初めとする化石燃料の埋蔵量減少により従来十分活用されていなかった太陽エネルギーを有効活用する太陽電池の重要性が増加している。
【０００３】
一方、従来、電力の販売は電力供給事業者側から需要者へ商用系統を介して供給するという一方向性の販売形態であったが、最近では、需要者側において発電した電力を逆に商用系統に売るという所謂「逆潮流」が行われるようになっている。
このような需要者による売電は、電力会社にとっても、多量の電力需要の下、安定した電力供給に繋がり好ましい。
そのため、電力会社は各需要者の各種料金プランを用意しており、各需要者は、自己のライフスタイルや所有する太陽電池の発電状況等に応じて、最適と思われる料金プランにより、電力会社と電力の需給契約を結ぶ。
【０００４】
しかしながら、各需要者のライフスタイルは多様であり、各需要者が備える太陽電池の発電状況等も様々であることから、各需要者にとって最適な料金プランがいずれであるかは分かりにくいものであった。
【０００５】
この点、随時変化するパワーコンディショナの運転状態や太陽電池の発電電力量等を手元で簡単に確認できるものとして、分散型電源からの電力供給を商用電源からの電力供給に連系させて制御するパワーコンディショナにおいて、分散型電源からの電力供給を制御する電力供給制御部と、電力供給制御部に接続されたコントローラと、無線通信によりコントローラとの間で情報を送受し、情報を表示する表示ユニットとを備えることを特徴とするものが提案されている（特許文献１参照）。
【０００６】
【特許文献１】特開２００６−２０３９０号公報
【発明の開示】
【発明が解決しようとする課題】
【０００７】
しかしながら、上記特許文献１記載の技術では、利用者が、随時変化するパワーコンディショナの運転状態や発電量等を手元で確認することができるに過ぎず、利用者にとって最適な料金プランがいずれであるかは分からなかった。
そのため、利用者は、自分で発電量等から電気料金を計算し、どの料金プランが自分にとって一番得となるのかを計算する必要があり、大変煩わしかった。
また、電力会社によっても、料金プランが異なるし、また同じ電力会社内であっても、料金プランによって昼と夜の料金が異なったり、季節によって異なるなど、大変複雑な計算が必要となっていた。
【０００８】
そこで、本発明は、太陽電池の発電量、負荷の消費電力量、及び商用系統と売買される電気量に関する情報を集約して、上記商用系統を運営する事業者が提供する各種料金プランのうち、最適な料金プランを選択するのに有用な情報を提示することを目的とする。
【課題を解決するための手段】
【０００９】
そこで、上記目的を達成するため、本発明の一の観点に係る表示装置は、発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成された装置であって、上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段と、上記電力測定装置から、上記電力測定手段により測定された売電電力量及び買電電力量からなる電力情報を受信する電力情報受信手段と、上記受信した電力情報を記憶する電力情報記憶手段と、上記料金プランにおける、料金単価の入力を受け付ける料金単価受付手段と、上記料金プランの指定入力を受け付けて、当該指定された料金プランに係る算出基礎情報に、上記電力情報記憶手段に記憶されている電力情報、及び上記料金単価受付手段により受け付けた料金単価を代入して、当該指定された料金プランにおける電気料金を算出する演算処理部と、上記演算処理部により算出された電気料金を表示する表示手段と、を有することを特徴とする。
【００１０】
また、上記商用系統を運営する事業者が提供する各種料金プランのうちの一つである第１の料金プランが指定された場合に算出された第１の電気料金を記憶する電気料金記憶手段と、上記商用系統を運営する事業者が提供する各種料金プランのうちの一つであって、第１の料金プランとは異なる第２の料金プランが指定されて第２の電気料金が算出された場合に、上記電気料金記憶手段に記憶されている第１の電気料金との差額を算出する第２の演算処理部と、を有し、上記表示手段は、上記算出された第２の電気料金と共に、上記差額を表示するものとしてもよい。
【００１１】
また、外部からの入力操作を随時検知すると共に、入力操作停滞時間を計測する検知手段と、上記計測した入力操作停滞時間が所定の時間に至ったときにスクリーンセーバーの起動を上記表示手段に指示する起動指示手段と、を有し、上記表示手段は、上記起動指示に応じて、所定の画像データ又は動画データをスクリーンセーバーとして表示させるものとしてもよい。
【００１２】
また、本発明の別の観点に係る表示方法は、発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成され、上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段とを有する装置により実行される方法であって、上記電力測定装置から、上記電力測定手段により測定された売電電力量及び買電電力量からなる電力情報を受信する処理と、上記受信した電力情報を電力情報記憶手段に記憶する処理と、上記料金プランにおける、料金単価の入力を受け付ける処理と、上記料金プランの指定入力を受け付けて、当該指定された料金プランに係る算出基礎情報に、上記電力情報記憶手段に記憶されている電力情報、及び上記受け付けた料金単価を代入して、当該指定された料金プランにおける電気料金を算出する処理と、上記演算処理部により算出された電気料金を表示する処理と、を行うことを特徴とする。
【００１３】
また、本発明の更に別の観点に係るコンピュータプログラムは、発電を行う発電装置と、電力の売買を行う商用系統とが連系し、負荷に電力を供給するシステムにおいて、上記発電装置により発電された電力のうち上記商用系統に売電される売電電力量と、上記商用系統から買電した買電電力量とを測定する電力測定手段を有する電力測定装置とネットワークを介して通信可能に構成され、上記商用系統を運営する事業者が提供する各種料金プランごとに、売電電力量、買電電力量、及び、当該両電力量の料金単価を変動項目として、電気料金を算出する基礎となる算出基礎情報を記憶する算出基礎情報記憶手段とを有するコンピュータを表示装置として機能させるためのコンピュータプログラムであって、上記コンピュータに対して、上記電力測定装置から、上記電力測定手段により測定された売電電力量及び買電電力量からなる電力情報を受信する処理と、上記受信した電力情報を電力情報記憶手段に記憶する処理と、上記料金プランにおける、料金単価の入力を受け付ける処理と、上記料金プランの指定入力を受け付けて、当該指定された料金プランに係る算出基礎情報に、上記電力情報記憶手段に記憶されている電力情報、及び上記受け付けた料金単価を代入して、当該指定された料金プランにおける電気料金を算出する処理と、上記演算処理部により算出された電気料金を表示する処理と、を実行させる。
【発明の効果】
【００１４】
本発明によれば、太陽電池の発電量、負荷の消費電力量、及び商用系統と売買される電気量に関する情報が集約され、上記商用系統を運営する事業者が提供する各種料金プランを適用した場合の電気料金が算出され、ユーザに表示されるので、各需要者はこれに基づいて、各自に最適な料金プランを選択することができる。
【発明を実施するための最良の形態】
【００１５】
次に、本発明の実施の形態について図を参照して説明する。
図１は、本発明の実施の形態に係る表示装置と、この表示装置１と連係するシステムの全体構成を示す図である。
表示装置１のユーザの居宅の屋根上には、複数の太陽電池モジュールを直並列に接続してなる太陽電池ユニット２が取り付けられている。この太陽電池ユニット２により発生した直流電力は、パワーコンディショナ３により交流電力に変換された後、電力測定器４、分電盤６を介して、所定の配線によりユーザ宅の負荷５に供給される。また、太陽電池ユニット２による発電量が、負荷５による消費電力量を上回るときには、余剰の電力が電力会社７に売電される。
また、電力測定器４と表示装置１とは、無線ＬＡＮなどのネットワークを介して接続され、データの送受信を行うことができる。
【００１６】
太陽電池ユニット２は、太陽光エネルギーを電力エネルギーに変換し、当該電力を供給する装置である。太陽電池ユニット２を構成する太陽電池モジュールは、特に限定されるものではないが、多結晶シリコン太陽電池、単結晶シリコン太陽電池、アモルファスシリコン、ＣＩＳ等の薄膜太陽電池などを用いることができる。
【００１７】
負荷５は、エアーコンディショナ、テレビ、冷蔵庫などの電気製品等であって、太陽電池ユニット２により発電された電力の供給を受けて、当該電力を消費する。
【００１８】
電力会社７は、ユーザと電力供給契約を締結している電力会社７であって、配電網を介してユーザ宅に電力を供給する。本例において、電力会社７は、太陽電池ユニット２の発電量が負荷５の消費電力より小さい場合に、その不足分を供給し、また、太陽電池ユニット２による発電量が負荷５の消費電力量以上に発電した場合の余剰電力を購入する。
なお、通常、電力会社７はユーザの居宅の所在地により予め決まっている。
【００１９】
電力測定器４は、ＣＰＵ（Ｃｅｎｔｒａｌ  Ｐｒｏｃｅｓｓｉｎｇ  Ｕｎｉｔ）、ＣＰＵが実行するコンピュータプログラム、及びこのコンピュータプログラムや他のデータを記憶するためのＲＡＭ（Ｒａｎｄｏｍ  Ａｃｃｅｓｓ  Ｍｅｍｏｒｙ）などの内部メモリ、ハードディスクドライブなどの外部記憶装置により、図２に示すように、電力測定演算部４１、電力情報送信部４２、計時部４３からなる機能ブロックを構成することができる。
【００２０】
電力測定演算部４１は、太陽電池ユニット２により発電された発電量、負荷５が消費する消費電力量、電力会社７へ売却する電力である売電電力量、及び電力会社７から購入する電力である買電電力量を測定する。
【００２１】
電力情報送信部４２は、電力測定演算部４１により測定された、発電量、消費電力量、売電電力量、及び買電電力量のデータからなる電力情報を表示装置１に対して送信する処理を行う。電力情報の送信は、一定時間分積算してから送信してもよいし、表示装置１からの求めに応じて送信するものとしてもよい。
この電力情報送信部４２による電力情報の送信処理は、例えば、信号線を介して、あるいは、無線通信等により実行される。
【００２２】
計時部４３は、現在時刻を計時する。
【００２３】
表示装置１は、ＣＰＵ、ＣＰＵが実行するコンピュータプログラム、及びこのコンピュータプログラムや他のデータを記憶するためのＲＡＭなどの内部メモリ、ハードディスクドライブなどの外部記憶装置により、図２に示すように、電力情報受信部１１、電力情報記憶部１２、算出基礎情報記憶部１３、演算処理部１４、入力部１５、出力部１６からなる機能ブロックを構成することができる。
【００２４】
電力情報受信部１１は、電力測定器４の電力情報送信部４２により送信された電力情報を受信する。
【００２５】
電力情報記憶部１２は、電力情報受信部１１により受信した電力情報を記憶することができる記憶部である。この電力情報記憶部１２には、例えば、図３に示すように、日ごとに、各時間帯１２５当たりの発電量１２１、消費電力量１２２、売電電力量１２３、及び買電電力量１２４を電力量の欄１２６に記憶することができる。
【００２６】
算出基礎情報記憶部１３は、電力会社７が提供する各種の料金プランにおける基本料金、段階別基準電力値ないしは料金単価等を変動項目として、仮想電気料金を算出するための基礎となる情報である算出基礎情報を記憶する記憶部である。この算出基礎情報に、所定の基本料金、電力量情報ないしは料金単価を当てはめることにより、後述する演算処理部１４が仮想電気料金を算出することができる。なお、段階別基準電力値とは、いわゆる三段階料金制度にみられるように、消費電力量に応じて料金単価に段階が設けられている場合に、当該段階ごとの基準となる電力値をいう。また、仮想電気料金とは、各種料金プランを適用した場合において、ユーザが支払うべき電気料金をいう。
【００２７】
ここで、料金プランとは、ユーザと電力会社７との間で取り決める電気の売買価格であり、その一例として、図４に示す料金プランＡがある。
ユーザが電力会社７から電気を購入する場合、この料金プランＡでは、消費した電力量の料金単価に３段階の格差が設けられており、居宅ごとに設定された契約アンペアに応じた基本料金７１に、消費した電力量に応じて上記３段階の料金単価７２から算出される料金が従量的に加算される。上記３段階の料金単価７２は、例えば、消費電力量が０ｋＷｈ〜１２０ｋＷｈまで（第１段階）は１ｋＷｈ当たり１５円２９銭、１２０ｋＷｈ〜３００ｋＷｈまで（第２段階）は１ｋＷｈ当たり２０円０４銭、３００ｋＷｈ超過分（第３段階）は１ｋＷｈ当たり２１円２５銭となっている。なお、上記第１段階における「０ｋＷｈ〜１２０ｋＷｈ」、上記第２段階における「１２０ｋＷｈ〜３００ｋＷｈ」、上記第３段階における「３００ｋＷｈ超過」が上述の段階別基準電力値に相当する。
例えば、ユーザ宅の契約アンペアが２０Ａ、供給を受けた電力量が３２０ｋＷｈであったとすると、当該ユーザは、基本料金５２０円００銭、１２０ｋＷｈ分については１ｋＷｈ当たり第１段階の１５円２９銭が適用されて１８３４円８０銭（＝１５．２９×１２０）、１２０ｋＷｈ〜３００ｋＷｈ分については１ｋＷｈ当たり第２段階の２０円０４銭が適用されて３６０７円２０銭（＝２０．０４×１８０）、残り２０ｋＷｈ分については１ｋＷｈ当たり第３段階の２１円２５銭が適用されて４２５円００銭（＝２１．２５×２０）となり、合計６３８７円となる。
一方、ユーザが、太陽電池ユニット２で発電した電気を電力会社７に売却する場合には、上記ような３段階であれば、当該月の電気使用量の３段階区分に沿って、上から３段、２段、１段と順に適用される。例えば、ユーザから電力会社７への電力量が１００ｋＷｈの場合、第３段階での使用量は２０ｋＷｈであるので、２０ｋＷｈ分が第３段階、８０ｋＷｈ分が第２段階の単価で算出される。すなわち、第３段階適用分の４２５円００銭（＝２１．２５×２０）と第２段階適用分の１６０３円２０銭（＝２０．０４×８０）の和が電力会社７よりユーザへ支払われる。
【００２８】
また、料金プランの別の一例としては、図５に示す料金プランＢがある。
この料金プランＢでは、電力の供給時間帯によって料金単価が異なっており、居宅ごとに設定された契約アンペアに応じた基本料金８１に、消費した電力量に応じて上記各時間帯ごとの料金単価８２から算出される料金が従量的に加算される。上記時間帯は、例えば、昼間時間（１０：００〜１７：００）、朝晩時間（７：００〜１０：００、１７：００〜２３：００）、夜間時間（２３：００〜７：００）と分かれており、夜間時間は更に夏季（７月〜９月）と他季（１０月〜６月）とに分かれている。そして、昼間時間は夏季が１ｋＷｈ当たり３０円０５銭で他季が１ｋＷｈ当たり２５円２０銭、朝晩時間が１ｋＷｈ当たり２０円３０銭、夜間時間が１ｋＷｈ当たり７円００銭となっている。
一方、上記料金プランＡの場合と同様、料金プランＢの場合においても、ユーザが、太陽電池ユニット２で発電した電気を電力会社７に売却する場合にも、上記料金プランＢが適用され、昼間時間、朝晩時間、夜間時間ごとに設定された料金で引き取ってもらうことができる。
【００２９】
このように、通常、電力会社７においては、各ユーザの使用状況に応じた料金プランが各種用意されており、各ユーザは自分の生活スタイル等に応じた料金プランを契約する。例えば、上記料金プランＡは時間帯に関係なく料金が加算されるので、昼夜関係なく電力を使うようなユーザ宅、例えば、昼間に家族が在宅しているようなユーザ宅に向いているといえる。一方、上記料金プランＢでは、昼間時間の電気料金が割高なので、昼間に余り電気を使わず、その間に余剰電力を電気会社に売却できるようなユーザ宅、例えば、共働きなどで昼間不在のユーザ宅に向いているといえる。
【００３０】
上述の料金プランは、通常、ユーザ宅の所在地に関係なく選択できるが、料金プラン中の基本料金、段階別基準電力値ないしは料金単価は、通常、ユーザ宅の存する地域の電力会社７ごとに異なっている。
そのため、算出基礎情報記憶部１３は、各料金プランにおける基本料金、段階別基準電力値ないしは料金単価を変動項目として、仮想料金を算出するための算出基礎情報を記憶しており、上記基本料金、段階別基準電力値ないしは料金単価は、仮想電気料金の算出の際にユーザにより入力される。
この算出基礎情報は、例えば、料金プランＡの場合であれば、
（仮想電気料金）＝（基本料金）＋（買電料金単価＜第１段階＞）×（買電電力量＜第１段階＞）＋（買電料金単価＜第２段階＞）×（買電電力量＜第２段階＞）＋（買電料金単価＜第３段階＞）×（買電電力量＜第３段階＞）−（売電料金単価＜第１段階＞）×（売電電力量＜第１段階＞）−（売電料金単価＜第２段階＞）×（売電電力量＜第２段階＞）−（売電料金単価＜第３段階＞）×（売電電力量＜第３段階＞）
である。
また、料金プランＢであれば、
（仮想電気料金）＝（基本料金）＋（買電料金単価＜昼間時間（夏季分）＞）×（買電電力量＜昼間時間（夏季分）＞）＋（買電料金単価＜昼間時間（他季分）＞）×（買電電力量＜昼間時間（他季分）＞）＋（買電料金単価＜朝晩時間＞）×（買電電力量＜朝晩時間＞）＋（買電電力量＜夜間時間＞）×（買電電力量＜夜間時間＞）−（売電料金単価＜昼間時間（夏季分）＞）×（売電電力量＜昼間時間（夏季分）＞）−（売電料金単価＜昼間時間（他季分）＞）×（売電電気量＜昼間時間（他季分）＞）−（売電料金単価＜朝晩時間＞）×（売電電力量＜朝晩時間＞）−（売電電力量＜夜間時間＞）×（売電電力量＜夜間時間＞）
である。
【００３１】
演算処理部１４は、電力情報記憶部１２に記憶されている電力情報を参照して、電力情報の統計データを算出したり、各種の料金プランに基づいた仮想電気料金を算出する処理を行う。なお、電力情報の統計データとは、電力情報記憶部１２に記憶されている発電量や売電電力量などを、１週間分、１ヶ月間分、１年間分まとめたものをいう。
【００３２】
仮想電気料金の算出は、例えば、月単位で算出する。
具体的には、料金プランＡを例にとると、まず、ユーザが選択した料金プランに係る算定基礎情報を算定基礎情報記憶部１３から読み出すと共に、ユーザにより入力された基本料金、段階別基準電力値ないしは料金単価を算定基礎情報の変動項目に当てはめる。
そして、仮想電気料金を算出する対象月に含まれる全ての日の売電電力量を電力情報記憶部１２から読み出して時間帯ごとに全て合算すると共に、仮想電気料金を算出する対象月に含まれる全ての日の買電電力量を電力情報記憶部１２から読み出して時間帯ごとに全て合算し、上記算出基礎情報に基づき、上記合算した売電電力量及び買電電力量を、各時間帯別に割り振って代入する。これにより、仮想電気料金が算出される。
【００３３】
入力部１５は、ユーザによるデータ入力、表示切替等の操作を受け付けることができ、例えば、操作ボタン、タッチパネルなどにより実現される。
【００３４】
出力部１６は、電力情報記憶部１２に記憶されている電力情報や、演算処理部１４により演算された情報を外部に表示することができ、例えば、ＥＬ素子を用いたＥＬディスプレイや、液晶ディスプレイなどにより実現される。
【００３５】
図６は、表示装置１の一例を示している。この表示装置１は、ディスプレイ１０１と、４つの操作ボタン１０２とからなる。４つの操作ボタン１０２には、表示装置１の機能が割り当てられ、当該割り当てられた機能は、ディスプレイ１０１上に表示される。
【００３６】
表示装置１の使用時にディスプレイ１０１上に表示される画面の一構成例を図７に示す。図７は、２０１０年１月１日午後０時３８分における発電電力、売電電力、消費電力を示している。これによれば、太陽電池ユニット２により５．４ｋＷの電力が発電され、そのうち４．２ｋＷの電力が負荷５により消費され、余剰の１．２ｋＷの電力が電力会社７に売電されたことが分かる。なお、これらの情報は、ユーザの操作により、電力情報記憶部１２から読み出される。
【００３７】
画面下部には、各操作ボタン１０２に割り当てられた機能が示されており、ユーザは各機能に対応する操作ボタン１０２を押下することにより、各機能の実行を要求することができる。
「表示切替」１０３は、画面上における表示変更を要求することができ、これを要求することにより、例えば、図８に示すように、発電電力、消費電力、売電電力を対比可能なグラフとして表示させた画面を呼び出すことができる。
【００３８】
「設定」１０４は、表示装置１の設定の変更を要求することができ、これを要求することにより、表示装置１の設定変更を入力可能な画面が表示される。当該画面からは、例えば、ディスプレイの明度等を変更したり、本体に内蔵されている計時機能の調整を行ったりすることができる。
【００３９】
「データ」１０５は、画面上に表示するデータの変更を要求することができ、これを要求することにより、例えば、図９に示すように、「１日のデータ」１０７、「１週間のデータ」１０８、「１ヶ月間のデータ」１０９、「１年間のデータ」１１０、「今までのデータ」１１１といった項目を選択できる画面を呼び出すことができる。
図９に示す画面において、各操作ボタンには、前画面に戻ることを要求する「戻る」１１２、画面上の選択エリアを変更する「△」１１３及び「▽」１１４（「△」を選択することにより、選択エリアは上方に移動し、「▽」を選択することにより、選択エリアは下方に移動する）、「△」ないしは「▽」により選択された項目に決定するための「決定」１１５が割り当てられている。
上記項目において、例えば、「１日のデータ」１０７を選択した場合には、データの表示を要求する日を入力する画面が表示され、当該画面上から希望する日を入力することにより、電力情報記憶部１２に記憶されているデータが読み出され、図１０のように表示される。
また、例えば、「１週間分のデータ」１０８を選択した場合には、データの表示を要求する期間を入力する画面が表示され、ユーザは、当該画面上から、「２００６年９月１日」から７日間などと希望する１週間を入力することにより、電力情報記憶部１２に記憶されている当該期間中のデータが読み出される、画面上に表示される。なお、この場合、演算処理部１４により、１週間分のデータを発電量や売電電力量等ごとに合算したデータを表示してもよい。
その他、「１ヶ月間のデータ」１０９はある月のデータを、「１年間のデータ」１１０はある年のデータを、更に、「今までのデータ」１１１は、電力情報記憶部１２に記憶さている全データを表示する。
【００４０】
次に、本実施形態に係る表示装置１、及び表示装置１と連係する電力測定器４の一連の処理の流れについて、図１１及び図１２を参照して説明する。
図１１は、太陽電池ユニット２により発電がなされ、表示装置１が電力測定器４から電力情報を受信するまでの流れを示している。
まず、電力測定器４は、電力測定演算部４１により、発電電力、消費電力、売電電力、及び買電電力を測定する（Ｓ１０１）。
電力測定演算部４１は、測定を継続的に行い、単位時間分、例えば１時間分の電力を測定したか否かを判断する（Ｓ１０２）。
判断の結果、単位時間分の電力を測定したと判断すると、電力情報送信部４２により、当該測定した単位時間分の電力情報を表示装置１に対して送信する（Ｓ１０３）。
表示装置１は、上記電力情報を電力情報受信部１１により受信し（Ｓ１０４）、電力情報記憶部１２に記憶する（Ｓ１０５）。
【００４１】
続いて、ユーザからの要求に従って、仮想電気料金を算出し、これをユーザに対して提示するまでの処理について図１２により説明する。
まず、仮想電気料金を算出する対象となる料金プランに対応する算出基礎情報を選択可能な画面から、ユーザに対して希望する算出基礎情報の選択を受け付ける（Ｓ２０１）。
【００４２】
次に、ユーザが選択した算出基礎情報において、ユーザによる補充が必要な変動項目について、入力を要求する。
上記入力要求処理は、演算処理部１４により、以下のＳ２０２〜Ｓ２０９までの処理により行われるが、当該入力要求処理の一例として、既述した図４に示す料金プランＡに係る算定基礎情報がユーザにより選択された場合の処理を説明する。
まず、図１３に示す入力画面上から、基本料金の入力を要求する（Ｓ２０２）。
ユーザは、入力値を減じる「▽」１３２ないしは入力値を増加させる「△」１３３に対応する操作ボタン１０２を押下することにより、入力欄１４１に基本料金を設定入力し、基本料金の設定が終了すると「次へ」１３４に対応する操作ボタンを押下する。
当該処理により、表示装置１は、基本料金の入力を受け付ける（Ｓ２０３）。
【００４３】
次に、図１４に示す入力画面上から、第１段階の段階別基準電力値及び料金単価の入力を要求する（Ｓ２０４）。
これに対して、ユーザは、上述した基本料金の入力操作に倣って、第１段階の段階別基準電力値及び料金単価を段階別基準電力値入力欄１４２及び料金単価入力欄１４３に入力し、表示装置１は当該入力された段階別基準電力値及び料金単価を受け付ける（Ｓ２０５）。
なお、第１段階の段階別基準電力値及び料金単価の入力の流れは、詳細には、図１５に示すように、第１段階の段階別基準電力値の始値を入力欄１４２ａに入力するよう要求し（図１５（Ａ））、始値が入力された後、「次へ」１３４に対応する操作ボタン１０２が押下されることにより、第１段階の段階別基準電力値の終値を入力欄１４２ｂに入力するよう要求し（図１５（Ｂ））、同様にして、当該終値の入力後、「次へ」１３４に対応する操作ボタン１０２が押下されることにより、第１段階の料金単価を入力欄１４３に入力するよう要求する（図１５（Ｃ））。なお、各入力欄のいずれが入力可能な状態にあるかを示すために、入力可能な入力欄の数字は白抜き文字で示されている。
【００４４】
続いて、第１段階の段階別基準電力値及び料金単価の入力要求と同様にして、図１６に示す入力画面上から、第２段階の段階別基準電力値及び料金単価を各入力欄１４４、１４５に入力するよう要求し（Ｓ２０６）、入力を受け付ける（Ｓ２０７）。
更に同様にして、図１７に示す入力画面上から、第３段階の段階別基準電力値及び料金単価を入力欄１４６、１４７に入力するよう要求し（Ｓ２０８）、入力を受け付ける（Ｓ２０９）。
【００４５】
以上のＳ２０２〜Ｓ２０９までの処理により、基本料金、第１段階から第３段階までの段階別基準電力値及び料金単価の入力を受け付けると、仮想電気料金を算出する対象月の指定を、所定の画面上から要求する（Ｓ２１０）。
これに対して、ユーザは、当該画面上から希望する対象月を入力し、表示装置１はこれを受け付ける（Ｓ２１１）
【００４６】
演算処理部１４は、電力情報記憶部１２から、上記対象月に含まれる全ての日の売電電力量及び買電電力量の情報を電力情報記憶部１２から読み出し（Ｓ２１２）、各々を時間帯ごとに全て合算すると共に、上記算出基礎情報に基づき、当該合算した売電電力量及び買電電力量を、各時間帯別に割り振って代入することにより、仮想電気料金を算出する（Ｓ２１３）。
【００４７】
そして、出力部１６により、図１８に示すように、ユーザに対して仮想電気料金を表示する（Ｓ２１４）。
図１８には、対象月の買電電力量や売電電力量が電力情報記憶部１２から読み出されて夫々表示欄１４８、１５０に表示されると共に、上記演算処理部１４により算出された仮想電気料金が表示欄１４９に表示される。
これにより、ユーザは、現在、自分が契約している料金プランは別の料金プランにおける仮想電気料金を知ることができ、最も自分の生活スタイルに合った料金プランを選択することができる。
【００４８】
また、上述のＳ２０２〜Ｓ２０９に係る入力要求処理の別の一例として、既述した図６に示す料金プランＢに係る算定基礎情報がユーザにより選択された場合の処理を図１９により説明する。
なお、図１９において、Ｓ３０２〜Ｓ３０９の処理はＳ２０２〜Ｓ２０９の処理に対応し、Ｓ２０１及びＳ２１０〜Ｓ２１４の処理は上述の例と同様である。
まず、図１３と同様に示される入力画面上から、基本料金の入力を要求する（Ｓ３０２）。
ユーザは、入力値を減じる「▽」１３２ないしは入力値を増加させる「△」１３３に対応する操作ボタン１０２を押下することにより、入力欄１４１に表示される基本料金を設定し、基本料金の設定が終了すると「次へ」１３４に対応する操作ボタン１０２を押下する。
当該処理により、表示装置１は、基本料金の入力を受け付ける（Ｓ３０３）。
【００４９】
次に、図２０に示す入力画面上から、朝晩時間の時間帯及び料金単価の入力を要求する（Ｓ３０４）。
これに対して、ユーザは、上述した基本料金の入力操作に倣って、朝晩時間の時間帯及び料金単価を夫々入力欄１６１、１６２に入力し、表示装置１は当該入力された時間帯及び料金単価を受け付ける（Ｓ３０５）。
なお、朝晩時間の時間帯は、７：００〜１０：００と１７：００〜２３：００とがあるので、図２０に示す画面と同様の画面により、合計２度の入力を要求して両時間帯をユーザに入力させるか、図２０に示す画面を、両時間帯を入力可能に構成する。
また、時間帯及び料金単価の入力方法の詳細は、上述の料金プランＡにおけるのと同様、朝晩時間の時間帯の始値の入力を要求し、当該始値の入力後、「次へ」１３４に対応する操作ボタン１０２が押下されることにより、朝晩時間の時間帯の終値の入力を要求し、同様にして、当該終値の入力後、「次へ」１３４に対応する操作ボタン１０２が押下されることにより、料金単価の入力を要求する。
【００５０】
続いて、朝晩時間の時間帯及び料金単価の入力要求と同様にして、図２１に示す入力画面上から、昼間時間の時間帯及び料金単価を夫々入力欄１６３、１６４に入力するよう要求し（Ｓ３０６）、入力を受け付ける（Ｓ３０７）。なお、料金プランＢでは、夏季と他季とによって料金単価が異なるので、仮想電気料金の算出を希望する月が夏季に当たる場合には夏季の料金単価を、また、他季に当たる場合には他季の料金単価の入力が求められる。
更に同様にして、図２２に示す入力画面上から、夜間時間の時間帯及び料金単価を入力欄１６５、１６６に入力するよう要求し（Ｓ３０８）、入力を受け付ける（Ｓ３０９）。
【００５１】
以上のＳ３０２〜Ｓ３０９までの処理により、基本料金、朝晩時間、昼間時間、及び夜間時間の時間帯と、各時間帯ごとの料金単価の入力を受け付けると、Ｓ２１０以降の処理と同様の処理によって、ユーザが所望する月の仮想電気料金を算出して、これをユーザに対して表示する。
【００５２】
また、本発明の別の実施形態においては、上記算出された仮想電気料金を記憶し、異なる料金プランにおける仮想電気料金の差額を算出して、これをユーザに表示させる。
本実施形態では、表示装置１は、図２３に示す機能ブロックを構成する。なお、電力情報受信部１１、電力情報記憶部１２、算出基礎情報記憶部１３、演算処理部１４、入力部１５、出力部１６、及び電力測定器４については、既述のものと同様の機能を果たす。
仮想電気料金記憶部１７は、既述の一連の処理の結果、演算処理部１４により算出された仮想電気料金を記憶することができる記憶部である。
また、差額算出部１８は、演算処理部１４により仮想電気料金が算出された場合に、当該算出された仮想電気料金と、仮想電気料金記憶部１７に記憶されている仮想電気料金との差額を算出する処理を行う。
【００５３】
本実施形態における表示装置１における処理の流れを図２４に示す。
初期段階において、表示装置１は、既述したＳ２０１〜Ｓ２１４と同様の処理を実行した後、算出した仮想電気料金を仮想電気料金記憶部１７に記憶する（Ｓ４０１）。
【００５４】
次に、ユーザから別の料金プランに係る仮想電気料金の算出を求められたとする。すると、表示装置１は、図２５に示すように、当該別の料金プランについて、Ｓ２０１〜Ｓ２１３の処理を実行して仮想電気料金を算出する（Ｓ２１３）。
そして、ユーザに対して、仮想電気料金記憶部１７に記憶されている仮想電気料金を表示して、上記算出した料金プランに基づく仮想電気料金との差額を算出する仮想電気料金の指定入力を受け付ける（Ｓ４０２）。
【００５５】
これに対して、ユーザが差額を算出する仮想電気料金を指定入力すると、差額算出部１８は、仮想電気料金記憶部１７から、上記指定に係る仮想電気料金を抽出して、上記算出された仮想電気料金との差額を算出する（Ｓ４０３）。
そして、図２６に示すように、買電電力量１４８、算出した仮想電気料金１４９、売電電力量１５０と共に、上記算出した差額を表示欄１５１に表示する（Ｓ４０４）。
また、今回算出した仮想電気料金を仮想電気料金記憶部１７に記憶し（Ｓ４０５）、一連の処理を終了する。
これにより、ユーザは、各種料金プランにおいて、いずれの料金プランがいくら分、得になるのかを容易に把握することができる。
【００５６】
以上のような表示装置１は、普段、発電量等の電力情報記憶部１２に記憶されている内容をディスプレイ１０１に表示させておくことができる一方、デジタル形式の写真データ等をスクリーンセーバーとしてディスプレイ１０１に表示させるようにしてもよい。
この場合には、表示装置１は、既述した電力情報受信部１１〜出力部１６の機能に加え、外部記録媒体等から画像を取り込む画像取込部と、ユーザの入力操作を検知すると共に、ユーザの操作停滞時間を計測する検知部と、上記計測した操作停滞時間が所定の時間に至ったときにスクリーンセーバー機能を起動させると共に、スクリーンセーバー機能の起動中においてユーザの操作を検知したときにスクリーンセーバー機能を終了させる制御部と、制御部からのスクリーンセーバー機能の起動指示に応じて、上記取り込まれた画像を表示させると共に、一定のタイミングで当該画像を切り替える動作処理部とを有する。
【００５７】
上記画像取込部は、例えば、表示装置１の裏面等にメモリーカードスロットルを設けることにより実現され、当該メモリーカードスロットルに差し込まれたメモリーカードから、ＪＰＥＧ等の所定のフォーマット写真データが取り込まれる。
なお、ここで用いられるメモリーカードとしては、例えば、ＣＯＭＰＡＣＴＦＬＡＳＨ（登録商標）、Ｓｍａｒｔ  Ｍｅｄｉａ（登録商標）、ＳＤメモリーカード、メモリースティック、ＭＭＣ、ｘＤピクチャーカードなどがある。
【００５８】
当該スクリーンセーバーの機能の一連の処理は以下のように行われる。即ち、検知部がユーザの入力操作を随時検知すると共に、検知されなくなってからの時間を計測して、当該計測した時間が所定の時間に至ったと判断すると、制御部がスクリーンセーバー機能の起動を動作処理部に対して指示する。これに応じて動作処理部は、外部記録媒体から画像を取り込み表示させつつ、当該画像の表示時間を計測して、一定のタイミングで表示させる画像を切り替える。以上の処理により、一定時間、入力操作がない場合にスクリーンセーバーが表示される。
【００５９】
一方、スクリーンセーバー起動中に、検知部が、ユーザによる入力操作を検知したときは、制御部は、動作処理部に対して、スクリーンセーバー機能の終了を指示し、これに応じて、動作処理部はスクリーンセーバー機能を終了する。
これにより、ディスプレイの焼き付きを防止しつつ、各種電気量を見たり、仮想電気料金を算出したりするとき以外には、デジタルフォトフレームとして利用できて便利である。
【００６０】
なお、上記スクリーンセーバーにおいては、画像を切り替えて表示させるものとしたが、動画を記録媒体から取り込んで、動画を流すようにしてもよい。
【図面の簡単な説明】
【００６１】
【図１】本発明の実施の形態に係る表示装置及び表示装置と連係するシステムの概略を示す図である。
【図２】本実施の形態に係る表示装置及び電力測定器の構成を示す機能ブロック図である。
【図３】本実施の形態に係る電力情報記憶部に記憶されるデータの一例を示した図である。
【図４】本実施の形態に係る料金プラン（Ａ）の一例を示した図である。
【図５】本実施の形態に係る料金プラン（Ｂ）の一例を示した図である。
【図６】本実施の形態に係る表示装置の一例を示す正面図である。
【図７】本実施の形態に係る表示装置の画面構成の一例を示す図である。
【図８】本実施の形態に係る表示装置の画面構成の別の一例を示す図である。
【図９】本実施の形態に係る表示装置の画面構成の更に別の一例を示す図である。
【図１０】本実施の形態に係る表示装置の画面構成の更に別の一例を示す図である。
【図１１】本実施の形態において、電力測定器と表示装置の連係を示すシーケンス図である。
【図１２】本実施の形態に係る表示装置の処理フローを示す図である。
【図１３】本実施の形態に係る表示装置において、ユーザに所定の項目の入力を促す画面構成の一例を示す図である。
【図１４】本実施の形態に係る表示装置において、ユーザに所定の項目の入力を促す画面構成の一例を示す図である。
【図１５】本実施の形態に係る表示装置において、ユーザに所定の複数の項目の入力を促す画面の遷移の一例を示す図である。
【図１６】本実施の形態に係る表示装置において、ユーザに所定の項目の入力を促す画面構成の一例を示す図である。
【図１７】本実施の形態に係る表示装置において、ユーザに所定の項目の入力を促す画面構成の一例を示す図である。
【図１８】本実施の形態に係る表示装置において、仮想電気料金等をユーザに提示する画面構成の一例を示す図である。
【図１９】本実施の形態に係る表示装置の別の処理フローを示す図である。
【図２０】本実施の形態に係る表示装置において、ユーザに所定の項目の入力を促す画面構成の一例を示す図である。
【図２１】本実施の形態に係る表示装置において、ユーザに所定の項目の入力を促す画面構成の一例を示す図である。
【図２２】本実施の形態に係る表示装置において、ユーザに所定の項目の入力を促す画面構成の一例を示す図である。
【図２３】本発明の別の実施の形態に係る表示装置、及び電力測定器の構成を示す機能ブロック図である。
【図２４】本実施の形態に係る表示装置の処理フローを示す図である。
【図２５】本実施の形態に係る表示装置の処理フローを示す図である。
【図２６】本実施の形態に係る表示装置において、仮想電気料金等をユーザに提示する画面構成の一例を示す図である。
【符号の説明】
【００６２】
１・・・表示装置、２・・・太陽電池ユニット、３・・・パワーコンディショナ、４・・・電力測定器、５・・・負荷、６・・・分電盤、７・・・電力会社、１１・・・電力情報受信部、１２・・・電力情報記憶部、１３・・・算出基礎情報記憶部、１４・・・演算処理部、１５・・・入力部、１６・・・出力部、１７・・・仮想電気料金記憶部、１８・・・差額算出部、４１・・・電力測定演算部、４２・・・電力情報送信部、４３・・・計時部、７１・・・基本料金、７２・・・電力量料金、８１・・・基本料金、８２・・・電力量料金、１０１・・・ディスプレイ、１０２・・・操作ボタン、１０３・・・「表示切替」、１０４・・・「設定」、１０５・・・「データ」、１０６・・・「本日」、１０７・・・「１日のデータ」、１０８・・・「１週間のデータ」、１０９・・・「１ヶ月間のデータ」、１１０・・・「１年間のデータ」、１１１・・・「今までのデータ」、１１２・・・「戻る」、１１３・・・「△」、１１４・・・「▽」、１１５・・・「決定」、１２１・・・発電電力量、１２２・・・消費電力量、１２３・・・売電電力量、１２４・・・買電電力量、１２５・・・時間帯、１２６・・・電力量、１３１・・・「戻る」、１３２・・・「▽」、１３３・・・「△」、１３４・・・「次へ」、１４１・・・入力欄、１４２・・・段階別基準電力値入力欄、１４２ａ・・・第１段階の段階別基準電力値の始値入力欄、１４２ｂ・・・第１段階の段階別基準電力値の終値入力欄、１４３・・・第１段階の料金単価入力欄、１４４・・・第２段階の段階別基準電力各入力欄、１４５・・・第２段階の段階別基準電力料金単価入力欄、１４６・・・第３段階の段階別基準電力入力欄、１４７・・・第３段階の段階別基準電力料金単価入力欄、１４８・・・買電電力、１４９・・・従量電灯、１５０・・・売電電力、１５１・・・夜間電力割引、１６１・・・朝晩時間帯、１６２・・・朝晩電力単価、１６３・・・昼間時間帯、１６４・・・昼間電力単価、１６５・・・夜間時間帯、１６６・・・夜間電力単価
【図１】
2008158701.tif 000003
【図２】
2008158701.tif 000004
【図３】
2008158701.tif 000005
【図４】
2008158701.tif 000006
【図５】
2008158701.tif 000007
【図６】
2008158701.tif 000008
【図７】
2008158701.tif 000009
【図８】
2008158701.tif 000010
【図９】
2008158701.tif 000011
【図１０】
2008158701.tif 000012
【図１１】
2008158701.tif 000013
【図１２】
2008158701.tif 000014
【図１３】
2008158701.tif 000015
【図１４】
2008158701.tif 000016
【図１５】
2008158701.tif 000017
【図１６】
2008158701.tif 000018
【図１７】
2008158701.tif 000019
【図１８】
2008158701.tif 000020
【図１９】
2008158701.tif 000021
【図２０】
2008158701.tif 000022
【図２１】
2008158701.tif 000023
【図２２】
2008158701.tif 000024
【図２３】
2008158701.tif 000025
【図２４】
2008158701.tif 000026
【図２５】
2008158701.tif 000027
【図２６】
2008158701.tif 000028